(57)【要約】【課題】額縁などの展示品の支持をワンタッチにて確実かつ速やかに行えるようにし、かつ地震などによって簡単に振動したり揺動したりすることを防止可能にする。【解決手段】壁部材１に、斜め下方に向かって開口する傾斜状のガイド溝２と、該ガイド溝２上にオーバハングするように設けられた円弧面を持つガイド突起３と、を垂直方向へ交互に配置し、支持部材１８に、ガイド溝２内に挿入されて該ガイド溝２の終端付近で前記ガイド突起３の背面側に係合可能な第１の円弧部１９と、第１の円弧部１９の下方に連続し、前記ガイド溝２を介して隣り合う他のガイド突起３の前面側に支承される第２の円弧部２０とを備える。【選択図】図４
0003124691.tif 000002
【実用新案登録請求の範囲】
【請求項１】
展示物を支持部材により壁部材に支持させるための展示物支持装置であって、
前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、
前記支持部材は展示物に取付けられ、前記ガイド溝内に挿入されて該ガイド溝の終端付近で前記ガイド突起の背面側に係合可能な第１の円弧部と、該第１の円弧部の下方に連続し、前記ガイド溝を介して隣り合う他のガイド突起の前面側に支承される第２の円弧部とを備えることを特徴とする展示物支持装置。
【請求項２】
展示物を支持部材により壁部材に支持させるための展示物支持装置であって、
前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、
前記支持部材が、前記ガイド溝内に挿入されて該ガイド溝の終端付近で前記ガイド突起の背面側に係合可能な第１の円弧部と、該第１の円弧部の下方に連続し、前記ガイド溝を介して隣り合う他のガイド突起の前面側に支承される第２の円弧部と、該第２の円弧部の下方に連続し、前方へ突出するように設けられた展示物吊持用のフック部とを備えることを特徴とする展示物支持装置。
【請求項３】
壁部材に支持させた展示品を振れ止め部材により振れ止めする展示物振れ止め装置であって、
前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、
前記振れ止め部材が、前記ガイド溝内に挿入されて該ガイド溝の終端付近で前記ガイド突起の背面側に係合可能な第１の円弧部と、該第１の円弧部の下方に連続し、前記ガイド溝を介して隣り合う他のガイド突起の前面側に支承される第２の円弧部と、該第２の円弧部の下方に連続し、展示品裏面の下部に突設された被嵌合部材に嵌合可能な嵌合部とを備えることを特徴とする展示物振れ止め装置。
【請求項４】
前記被嵌合部材が、展示品裏面との間に隙間を作る振れ止め形成部材であり、前記嵌合部が、前記振れ止め形成部材の隙間に挿入されて該振れ止め形成部材の水平方向への移動を規制する振れ止め挿入片であることを特徴とする請求項３に記載の展示物振れ止め装置。
【考案の詳細な説明】
【技術分野】
【０００１】
本考案は、美術館において額縁に収めた絵画、書、写真などを展示したり、デパートなどで商品を展示したりするのに使用する展示物支持装置および展示物振れ止め装置に関する。
【背景技術】
【０００２】
従来から、美術館において額縁に収めた絵画、書、写真などを展示したり、デパートで絵画等を含む商品を展示販売したりする場合に、ラックやメッシュパネルが広く利用されている。これらのうち、メッシュパネルを例えば絵画の展示に利用する場合には、額縁の裏面にヒートンと呼ばれる係止具を取り付け、この係止具にＳ字状フックを引っ掛け、さらにこのＳ字状フックを、壁面や柱に取付けたメッシュパネルの線材に引っ掛けるようにしている（例えば特許文献１参照）。
【特許文献１】特開平１０−７１０６１号公報
【考案の開示】
【考案が解決しようとする課題】
【０００３】
しかしながら、従来のメッシュパネルを用いた展示物支持装置では、前記のような額縁の展示を行う場合に、額縁裏面のヒートンにＳ字状フックの一端部を通した上で、さらにそのＳ字上フックの他端部をメッシュパネルの線材に引っ掛けるという面倒な作業が必要であり、額縁の取り付けおよび取り外しのための作業性が悪いという問題があった。また、Ｓ字状フックは、地震などによる振動や揺動によってヒートンやメッシュパネルから比較的簡単に外れ、落下または揺動によって額縁に損傷を与えてしまう場合があった。
【０００４】
本考案は、前記のような従来の問題点に着目してなされたものであり、額縁などの展示品の支持をワンタッチにて確実かつ速やかに行えるようにするとともに、地震などによって簡単に振動したり揺動したりすることがない展示物支持装置および展示物振れ止め装置を提供することを目的とする。
【課題を解決するための手段】
【０００５】
前記目的達成のために、本考案にかかる展示物支持装置は、展示物を支持部材により壁部材に支持させるための展示物支持装置であって、前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、前記支持部材は展示物に取付けられ、前記ガイド溝内に挿入されて該ガイド溝の終端付近で前記ガイド突起の背面側に係合可能な第１の円弧部と、該第１の円弧部の下方に連続し、前記ガイド溝を介して隣り合うガイド突起の前面側に支承される第２の円弧部とを備えることを特徴とする。
【０００６】
この構成により、支持部材の第１の円弧部を前記ガイド溝内に斜め下方から挿入しながら大きく回動するという操作のみで、第１の円弧部を前記ガイド突起の背面側に係合させることができ、この支持部材から手を離すことにより、この支持部材の自重により第１の円弧部の下方に位置する第２の円弧部を隣り合う他のガイド突起に支承させることができる。
【０００７】
このため、支持部材はその他のガイド突起を支点として回動付勢されて、第１の円弧部と前記ガイド突起との係合をガタなく確実にし、展示物に一体の支持部材が壁部材から外れて、脱落することを防止することができる。
【０００８】
また、本考案にかかる展示物支持装置は、展示物を支持部材により壁部材に支持させるための展示物支持装置であって、前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、前記支持部材が、前記ガイド溝内に挿入されて該ガイド溝の終端付近で前記ガイド突起の背面側に係合可能な第１の円弧部と、該第１の円弧部の下方に連続し、前記ガイド溝を介して隣り合う他のガイド突起の前面側に支承される第２の円弧部と、該第２の円弧部の下方に連続し、前方へ突出するように設けられた展示物吊持用のフック部とを備えることを特徴とする。
【０００９】
この構成により、支持部材の第１の円弧部を前記ガイド溝内に斜め下方から挿入しながら回動するという操作のみで、第１の円弧部を前記ガイド突起の背面側に係合させることができ、この支持部材から手を離すことにより、この支持部材の自重により第１の円弧部の下方に位置する第２の円弧部を隣り合う他のガイド突起に支承させることができる。
【００１０】
このため、支持部材はその他のガイド突起を支点として回動付勢され、第１の円弧部と前記ガイド突起との係合をガタなく確実にし、展示物に一体の支持部材が壁部材から外れて、脱落することを防止することができる。この結果、展示物吊持用のフックに展示物を引っ掛けて吊持させた場合に、そのフックが壁部材に対し安定支持されるため、展示物の吊持状態も安定することとなる。
【００１１】
また、本考案にかかる展示物振れ止め装置は、壁部材に支持させた展示品を振れ止め部材により振れ止めする展示物振れ止め装置であって、前記壁部材は、斜め下方に向かって開口する傾斜状のガイド溝と、該ガイド溝を形成するとともに、該ガイド溝上にオーバハングするように設けられた円弧面を持つガイド突起と、を垂直方向へ交互に配置したものからなり、前記振れ止め部材が、前記ガイド溝内に挿入されて該ガイド溝の終端付近で前記ガイド突起の背面側に係合可能な第１の円弧部と、該第１の円弧部の下方に連続し、前記ガイド溝を介して隣り合う他のガイド突起の前面側に支承される第２の円弧部と、該第２の円弧部の下方に連続し、展示品裏面の下部に突設された被嵌合部材に嵌合可能な嵌合部とを備えることを特徴とする。
【００１２】
この構成により、支持部材の第１の円弧部を前記ガイド溝内に斜め下方から挿入しながら回動するという操作のみで、第１の円弧部を前記ガイド突起の背面側に係合させることができ、この支持部材から手を離すことにより、この支持部材の自重により第１の円弧部の下方に位置する第２の円弧部を隣り合う他のガイド突起に支承させることができる。
【００１３】
このため、支持部材はその他のガイド突起を支点として回動付勢され、第１の円弧部と前記ガイド突起との係合をガタなく確実にし、展示物に一体の支持部材が壁部材から外れて、脱落することを防止することができる。この結果、展示品裏面の下部にある被嵌合部材に、壁部材側に安定支持された振れ止め防止用の前記嵌合部を嵌合することで、壁部材に支持された展示品の揺れ、脱落を確実に防止できる。
【００１４】
また、本考案にかかる展示物振れ止め装置は、前記被嵌合部材が、展示品裏面との間に隙間を作る振れ止め形成部材であり、前記嵌合部が、前記振れ止め形成部材の隙間に挿入されて該振れ止め形成部材の水平方向への移動を規制する振れ止め挿入片であることを特徴とする。
【００１５】
この構成により、振れ止め形成部材の隙間へ振れ止め防止用の振れ止め挿入片を挿入するだけで、壁部材に支持された展示品の揺れ、脱落を確実に防止できる。
【考案の効果】
【００１６】
本考案によれば、第１の円弧部がガイド突起に、第２の円弧部がそのガイド突起下部の他のガイド突起にそれぞれ係合するように、支持部材をガイド溝内に挿入しながら回動する操作のみで、後は支持部材を含む展示物の重量により、第１の円弧部と前記ガイド突起との係合をガタなく確実にし、不用意に展示物が壁部材から外れて、脱落することを防止することができる。
【考案を実施するための最良の形態】
【００１７】
以下、本考案の実施形態を、図面を参照しながら説明する。
図１および図２は、本考案の実施の形態による展示物支持装置の壁部材１を示す正面図および側面図である。この壁部材１は、壁構成部材１ａの上下端に上枠部材１ｂおよび下枠部材１ｃを連設したものからなる。
これらのうち、壁構成部材１ａは、斜め下方に向かって開口する傾斜状のガイド溝２と、このガイド溝２を形成するとともに、このガイド溝２上にオーバハングするように設けられた円弧面を持つガイド突起３とを、垂直方向に交互に配設したものからなる。
【００１８】
前記ガイド溝２は、これの終端部２ａから開口部２ｂにかけて「Ｊ」の字状をなし、その終端部２ａでは、ガイド突起３の背面側に切り込まれるように、切欠部２ｃが形成されている。なお、この切欠部２ｃは、必要に応じ省くこともできる。
【００１９】
また、前記ガイド溝２およびガイド突起３は、垂直方向へ交互に複数連接されており、壁部材１全体の取付面（室内壁や柱など）に対する平行度を保つとともに、補強のために、この壁部材１背面の複数箇所にＴ字型の支持脚５が一体に突設されている。
【００２０】
壁構成部材１ａの上端部であって、前記ガイド突起３に連続する部位には、係合突起６と前記取付面に当接される取付部７が設けられている。取付部７は係合突起６より上方へ延設され、その一部にネジが通されることで、そのネジにより壁構成部材１ａを室内壁や柱に固定可能にしている。
【００２１】
さらに、この取付部７の先端に係合突起８が形成されており、後述の上枠部材の一部（係合片）に係合可能になっている。一方、壁構成部材１ａの下端であって、前記ガイド突起３に連続する所定部位には、係合突起９が突設されている。
【００２２】
次に、上枠部材１ｂは、壁構成部材１ａに設けられたものと同一形態の１つのガイド溝２および２つのガイド突起３とが設けられている。また、そのうちの１つのガイド突起３に連続する所定部位に係合突起１０が設けられている。
【００２３】
さらに、他のガイド突起３に連続する部位にＬ字状の化粧縁１１が連接され、この化粧縁１１の先端にはＬ字状の係合片１２が連設されている。また、前記係合突起１０は、壁構成部材１ａの上端部の係合突起６に嵌合し、前記係合片１２は前記取付部７上端の係合突起８に嵌合している。
【００２４】
また、下枠部材１ｃは、Ｌ字状の化粧縁１３を有し、この化粧縁１３の上部に係合突起１４と取付部１５が連接されている。この取付部１５は先端に係合突起１６が形成されている。なお、取付部１５は一部にネジが通されて、下枠部材１ｃを室内壁や柱にネジ止め可能とされている。
また、前記係合突起１４は、壁構成部材１ａ下端の前記係合突起９に嵌合している。前記係合突起１６は壁構成部材１ａの下端側にある前記支持脚５に係止されている。
【００２５】
前記構成になる壁部材１は、はじめに、下枠部材１ｃをネジ１７によって室内壁や柱に固定し、この下枠部材１ｃの係合突起１４、１６に対し壁構成部材１ａ下端の係合突起９および支持脚５を係合する。次に、この壁構成部材１ａ上部の取付部７にネジ１７を通して、室内壁や柱に固定した上で、係合突起６、８に化粧縁１１の係合突起１０および係合片１２をそれぞれ係合する。
これにより、上下部に化粧縁１１、１３を有する壁構成部材１ａが、つまり壁部材１が室内壁や柱に垂直状態にて設立、保持される。
【００２６】
図３および図４は、額縁などの展示物の裏面に取付けられる板状の支持部材１８を示す。この支持部材１８は、金属板のうち抜きにより、また合成樹脂の成型により得られる。この支持部材１８には、これを展示物の裏面にネジ固定するための、ネジ挿入用のネジ孔２２ａが設けられている。
なお、この支持部材１８は、展示物のサイズや重量等に応じて任意のサイズや形状に形成される。
【００２７】
前記支持部材１８は、壁部材１のガイド溝２内に挿入されて、該ガイド溝２の終端付近でガイド突起３の背面側に係合可能な第１の円弧部１９と、この第１の円弧部１９の下方に連続し、前記ガイド溝２を介して隣り合う他のガイド突起３の前面側に支承される第２の円弧部２０とを備える。
【００２８】
図５は、図３および図４に示すような支持部材１８をネジ２２により背面に取付けた展示物としての額縁２１を、支持部材１８を用いて、図１に示した壁部材１に支持した状態を示す側面図である。なお、支持部材１８は、額縁２１の上部に取付けられる。
【００２９】
この額縁２１を壁部材１に取付けるには、支持部材１８の第１の円弧部１９を、壁部材１のガイド溝２内へ開口４から挿入する。このとき、第１の円弧部１９がガイド突起３の内面に沿うように、額縁２１の全体を、図５の点線で示すように略水平方向に大きく傾けた状態から、壁部材１の前面に沿う垂直状態となるように、矢印Ｘ方向に回動操作するように降ろす。
【００３０】
これにより、第１の円弧部１９は、ガイド突起３の背面側に図示のように係合し、第２の円弧部２０は前記ガイド突起３の下部にある他のガイド突起３の上面および前面に支承される。
つまり、第１の円弧部１９のガイド溝２内へのワンタッチの挿入操作および第１の円弧部１９のガイド突起３背面に対する係合操作と、操作力解除による第２の円弧部２０の隣り合う他のガイド突起３前面に対する自重による支承動作によって、簡単かつ迅速に額縁２１を壁部材１に沿うように吊持することができる。なお、前記係合および支承状態は、額縁２１の重量により安定的に維持される。
【００３１】
一方、額縁２１を壁部材１から取り外す場合には、額縁２１をかたむけるようにこれの下部を上方へ持ち上げながら、第１の円弧部１９をガイド突起３の背面側からガイド溝内へ引き抜くように操作し、さらに開口４側へ引き抜けばよい。
【００３２】
図６は、展示物である例えば額縁を吊り状態で展示するための支持部材２３を示す。この支持部材２３は、ガイド溝２内に挿入されて該ガイド溝２の終端付近でガイド突起３の背面側に係合可能な第１の円弧部１９と、第１の円弧部１９の下方に連続し、ガイド溝２を介して隣り合う他のガイド突起３の前面側に支承される第２の円弧部２０とを備える。
【００３３】
また、この支持部材２３には、第２の円弧部２０の下方に連続して、前方へ突出する展示物吊持用のフック部２４が設けられている。この支持部材２３も金属や合成樹脂からほぼＵ事情に形成され、このフック部２４には額縁に取付けられた吊紐や、商品吊下げようのハンガーなどが吊持可能になっている。
【００３４】
この実施形態にあっても、支持部材２３の壁部材１に対する係止操作および係止解除操作は、前記の支持部材１８と壁部材１の関係と全く同様に、ワンタッチ操作によって、簡単、迅速に行える。図７は、壁部材１に支持部材２３が取付けられた状態を示す。
【００３５】
このように、本実施形態では、壁部材１を、斜め下方に向かって開口する傾斜状のガイド溝２と、該ガイド溝２を形成するとともに、該ガイド溝２上にオーバハングするように設けられた円弧面を持つガイド突起３と、を垂直方向へ交互に配置し、また、支持部材１８、２３に、ガイド溝２内に挿入されて該ガイド溝２の終端付近で前記ガイド突起３の背面側に係合可能な第１の円弧部１９と、第１の円弧部１９の下方に連続し、前記ガイド溝２を介して前記ガイド突起３の前面側に支承可能な第２の円弧部２０とを備えたことにより、支持部材１８、２３の第１の円弧部１９を前記ガイド溝２内に斜め下方から挿入しながら回動するという操作のみで、第１の円弧部１９を前記ガイド突起３の背面側に係合させることができ、この支持部材１８、２３から手を離すことにより、この支持部材１８、２３の自重により第１の円弧部１９を下方に位置するガイド突起３に支承させることができる。
【００３６】
このため、支持部材１８、２３はその下方のガイド突起３を支点として、第１の円弧部１９と前記ガイド突起３との係合をガタなく確実にし、展示物に一体の支持部材１８、２３が壁部材１から外れて、脱落することを防止することができる。
【００３７】
図８乃至図１０は、本考案の実施形態による展示物振れ止め装置の振れ止め部材を示す正面図、側面図および平面図である。この展示物振れ止め部材２５は、金属板や合成樹脂などからなり、上部には、前記ガイド溝２内に挿入されて、このガイド溝２の終端付近でガイド突起３の背面側に係合可能な第１の円弧部１９と、この第１の円弧部１９の下方に連続し、ガイド溝２を介して隣り合う他のガイド突起３の前面側に支承される第２の円弧部２０とを備える。
【００３８】
また、第２の円弧部２０の下方に続く垂直部２６には、この垂直部２６に連続し、かつこの垂直部２６との間に所定間隙２７を形成する嵌合部２８が、後述の振れ止め挿入片として、板材を水平方向に曲げるようにして形成されている。
【００３９】
図１１は、被嵌合部材としての振れ止め形成部材２９を示す正面図である。この振れ止め形成部材２９は、展示物振れ止め装置を構成し、金属板や合成樹脂盤などからなる。また、この振れ止め形成部材２９は、中央部２９ａがこれの両端部２９ｂに対し突出するように折り曲げ成形され、両端部２９ｂには、ネジの挿入孔３０が形成されている。
【００４０】
この振れ止め形成部材２９は、図１２に示すように、前記額縁などの展示物２１の下部背面に、ネジ３１を用いて固定される。これにより、振れ止め形成部材２９と額縁２１背面との間には、水平方向に開く隙間３２が形成される。
【００４１】
そこで、展示物２１である額縁を図５に示すように壁部材１に吊持させた際には、その壁部材１を垂直に保ちながら、これに取付けた振れ止め部材２５の振れ止め挿入片２８を、額縁下部に設けられた前記隙間３２ｂ内に最大量挿入する。
これにより、振れ止め挿入片２８と振れ止め部材２５の垂直片２６との間に前記振れ止め形成部材２９の中央部２９ａを挟み込むような状態になり、従って、額縁２１の下部が壁前面水平方向へ揺動することを規制することができる。
【００４２】
なお、前記では、振れ止め部材２５および振れ止め形成部材２９を１つずつ設けた場合を説明したが、これらを複数個ずつ設ければ、額縁２１の前記揺動をより確実に規制することができる。この場合において、振れ止め挿入片２８としては、図１０に示すように、垂直片２６の左方から延長して折り曲げたものを示したが、図１３に示すように、垂直片２６の右方から延長して折り曲げた振れ止め挿入片２８Ａを持つ振れ止め部材２５を使用してもよい。これによれば、額縁２１の下方両端を壁面より離反させる方向への揺動を、効果的に規制することができる。
【００４３】
このように、本実施形態では、前記壁部材１を、斜め下方に向かって開口する傾斜状のガイド溝２を形成するとともに、該ガイド溝２上にオーバハングするように設けられた円弧面を持つガイド突起３と、を垂直方向へ交互に配置したものとし、前記振れ止め部材２５を、前記ガイド溝２内に挿入されて該ガイド溝２の終端付近で前記ガイド突起３の背面側に係合可能な第１の円弧部１９と、該第１の円弧部１９の下方に連続し、前記ガイド溝２を介して隣り合う他のガイド突起３の前面側に支承される第２の円弧部２０と、該第２の円弧部２０の下方に連続し、展示品裏面の下部に突設された被嵌合部材２９に嵌合可能な嵌合部とから構成したことにより、展示品裏面の下部にある被嵌合部材２９に、壁部材１側に安定支持された振れ止め防止用の前記嵌合部２８を嵌合するだけで、壁部材１に支持された展示品の揺れを確実に防止できる。
【産業上の利用可能性】
【００４４】
本考案の展示物支持装置は、支持部材の第１の円弧部を前記ガイド溝内に斜め下方から挿入しながら回動するという操作のみで、第１の円弧部を前記ガイド突起の背面側に係合させることができ、この支持部材から手を離すことにより、この支持部材の自重により第２の円弧部を下方に位置する他のガイド突起に支承させることができ、美術館等において額縁に収めた絵画、書、写真などを展示したり、デパートなどで商品を展示したりする場合に使用する展示物支持装置および展示物振れ止め装置等として有用である。
【図面の簡単な説明】
【００４５】
【図１】本考案の実施形態による展示物支持装置の壁部材を示す正面図である。
【図２】図１における展示物支持装置の壁部材を示す側面図である。
【図３】本考案における支持部材を示す正面図である。
【図４】図２に示す支持部材の側面図である。
【図５】本考案のおける支持部材の壁部材に対する取り付け状態を示す側面図である。
【図６】本考案における他の支持部材を示す正面図である。
【図７】図５における支持部材の壁部材に対する取り付け状態を示す側面図である。
【図８】本考案の実施形態による展示物振れ止め装置の振れ止め部材を示す正面図である。
【図９】図７における振れ止め部材の側面図である。
【図１０】図７における振れ止め部材の平面図である。
【図１１】額縁下面に取付けられる振れ止め形成部材を示す正面図である。
【図１２】本考案における展示物振れ止め装置による額縁の振れ止め状態を示す側面図である。
【図１３】本考案の他の実施形態による振れ止め部材を示す平面図である。
【符号の説明】
【００４６】
１  壁部材
２  ガイド溝
３  ガイド突起
４  開口
１８  支持部材
１９  第１の円弧部
２０  第２の円弧部
２１  額縁
２５  振れ止め部材
２８、２８Ａ  振れ止め挿入片（嵌合部）
２９  振れ止め形成部材（被嵌合部材）
【図１】
0003124691.tif 000003
【図２】
0003124691.tif 000004
【図３】
0003124691.tif 000005
【図４】
0003124691.tif 000006
【図５】
0003124691.tif 000007
【図６】
0003124691.tif 000008
【図７】
0003124691.tif 000009
【図８】
0003124691.tif 000010
【図９】
0003124691.tif 000011
【図１０】
0003124691.tif 000012
【図１１】
0003124691.tif 000013
【図１２】
0003124691.tif 000014
【図１３】
0003124691.tif 000015